(57)【要約】【課題】ボウル部内の温度や湿度に基づいて、ボウル部内の換気を促す、あるいは換気を行う洋風便器装置を提供する。【解決手段】ボウル部１５内に配設され、ボウル部内の温度、湿度のうち少なくともいずれか一方を検知するボウル部検知手段２０と、前記ボウル部の換気を促す報知手段２１ａ、２１ｂと、前記ボウル部検知手段の計測値が所定の閾値を越えたときには、前記報知手段を作動する制御手段２５とを備えた構成としている。【選択図】図１
2008081929.tif 000002
【特許請求の範囲】
【請求項１】
ボウル部内に配設され、ボウル部内の温度、湿度のうち少なくともいずれか一方を検知するボウル部検知手段と、前記ボウル部の換気を促す報知手段と、前記ボウル部検知手段の計測値が所定の閾値を越えたときには、前記報知手段を作動する制御手段とを備えたことを特徴とする洋風便器装置。
【請求項２】
請求項１において、
前記制御手段は、前記所定の閾値を越えた前記計測値が所定時間以上継続したときに、前記報知手段を作動することを特徴とする洋風便器装置。
【請求項３】
ボウル部内に配設され、ボウル部内の温度、湿度のうち少なくともいずれか一方を検知するボウル部検知手段と、前記ボウル部内の換気を行う換気手段と、前記ボウル部検知手段の計測値が所定の閾値を越えたときには、前記換気手段を作動する制御手段とを備えたことを特徴とする洋風便器装置。
【請求項４】
請求項３において、
前記制御手段は、前記所定の閾値を越えた前記計測値が所定時間以上継続したときに、前記換気手段を作動することを特徴とする洋風便器装置。
【請求項５】
請求項３又は４において、
前記換気手段は、便蓋を自動開閉する便蓋自動開閉機構で構成され、
前記便蓋を開放させることにより前記ボウル部内の換気を行うことを特徴とする洋風便器装置。
【請求項６】
請求項３又は４において、
前記換気手段は、人体の局部を乾燥する乾燥装置で構成され、
前記乾燥装置を作動させることにより前記ボウル部内の換気を行うことを特徴とする洋風便器装置。
【請求項７】
請求項３又は４において、
前記換気手段は、前記ボウル部内を脱臭する吸気口と排気口とを有した脱臭装置で構成され、
前記脱臭装置を作動させることにより前記ボウル部内の換気を行うことを特徴とする洋風便器装置。
【請求項８】
請求項１乃至７のいずれか１項において、
前記ボウル部検知手段の前記計測値を表示する表示手段を更に備えたことを特徴とする洋風便器装置。
【請求項９】
請求項８において、
トイレ室内壁に配設された便器用リモートコントローラを更に備えており、
前記表示手段は、前記便器用リモートコントローラに設けられていることを特徴とする洋風便器装置。
【発明の詳細な説明】
【技術分野】
【０００１】
本発明は、洋風便器装置に関し、詳しくは、ボウル部内の温度、湿度を検知する機能を備えた洋風便器装置に関するものである。
【背景技術】
【０００２】
近時において、洋風便器装置は、種々の装置を備えたものが提供されており、例えば、人体の在、不在を検知する人体検知センサからの信号に基づいて、便蓋・便座の開閉を自動で行う便蓋・便座自動開閉機構を備えたものや、便座の暖房装置、人体局部の洗浄装置や乾燥装置、ボウル部内の脱臭装置などを備えたものが知られている。例えば、特許文献１では、そのような脱臭装置を備えた脱臭便器が提案されている。
【０００３】
図１０は、特許文献１で提案された脱臭便器１を示し、排便臭気を吸入するための吸気口２と、排便臭気を排気するための排気口３と、吸気口２から吸入した排便臭気を排気口３から強制的に排出させるための電動式の脱臭ファン４とを有し、更に、室温を検知する室温センサ５又は室内の湿度を検知する湿度センサ５Ａと、それらセンサからの室温又は湿度信号に応じて、脱臭ファン４の排気風量を制御する制御手段６とを備えた構成としている。
【０００４】
ところで、洋風便器装置においては、臭気の拡散や埃等の侵入防止などの理由、あるいはインテリア性等の観点から使用後は、手動あるいは前記したように自動により便蓋は閉じられた状態となることが通常である。
頻繁に使用がなされて便蓋が頻繁に開放される場合やボウル部内の温度や湿度が低い場合には問題とならないが、ボウル部内の温度や湿度が高い場合は、ボウル面やリム面などに付着した排泄物等に起因する細菌やカビの発生や繁殖を助長するといった問題があった。また、それらに起因する悪臭がボウル部内に滞留し、次回使用する者にとって不快であった。
【特許文献１】特開平７−６２７０３号公報
【発明の開示】
【発明が解決しようとする課題】
【０００５】
前記特許文献１で提案されている脱臭便器１によれば、室温又は湿度が高くなるに従って脱臭風量が大きくなるように制御することができるため、臭気がきつくなる高温時、又は高湿度時に十分な脱臭を行うことができるとともに、低温時、又は低湿度時には脱臭風量を少なくして用便者の尻部が寒く感じるというような不具合を解決することはできるが、着座の検知に基づいて、脱臭装置を作動させる構成としているので、ボウル部内の温度や湿度に基づいて、ボウル部内の換気を促す、あるいは換気を行うことはできない。
【０００６】
本発明は、前記問題を解決するために提案されたもので、ボウル部内の温度や湿度に基づいて、ボウル部の換気を促す、あるいはボウル部内の換気を行う洋風便器装置を提供することにある。
【課題を解決するための手段】
【０００７】
前記目的を達成するために、請求項１に記載の洋風便器装置は、ボウル部内に配設され、ボウル部内の温度、湿度のうち少なくともいずれか一方を検知するボウル部検知手段と、前記ボウル部の換気を促す報知手段と、前記ボウル部検知手段の計測値が所定の閾値を越えたときには、前記報知手段を作動する制御手段とを備えたことを特徴とする。
ここに、ボウル部内とは、便蓋が閉じられた状態で形成される空間を意味するものである。
【０００８】
請求項２では、請求項１において、前記制御手段は、前記所定の閾値を越えた前記計測値が所定時間以上継続したときに、前記報知手段を作動することを特徴とする。
【０００９】
請求項３に記載の洋風便器装置は、ボウル部内に配設され、ボウル部内の温度、湿度のうち少なくともいずれか一方を検知するボウル部検知手段と、前記ボウル部内の換気を行う換気手段と、前記ボウル部検知手段の計測値が所定の閾値を越えたときには、前記換気手段を作動する制御手段とを備えたことを特徴とする。
【００１０】
請求項４では、請求項３において、前記制御手段は、前記所定の閾値を越えた前記計測値が所定時間以上継続したときに、前記換気手段を作動することを特徴とする。
【００１１】
請求項５では、請求項３又は４において、前記換気手段は、便蓋を自動開閉する便蓋自動開閉機構で構成され、前記便蓋を開放させることにより前記ボウル部内の換気を行うことを特徴とする。
【００１２】
請求項６では、請求項３又は４において、前記換気手段は、人体の局部を乾燥する乾燥装置で構成され、前記乾燥装置を作動させることにより前記ボウル部内の換気を行うことを特徴とする。
【００１３】
請求項７では、請求項３又は４において、前記換気手段は、前記ボウル部内を脱臭する吸気口と排気口とを有した脱臭装置で構成され、前記脱臭装置を作動させることにより前記ボウル部内の換気を行うことを特徴とする。
【００１４】
請求項８では、請求項１乃至７のいずれか１項において、前記ボウル部検知手段の前記計測値を表示する表示手段を更に備えたことを特徴とする。
【００１５】
請求項９では、請求項８において、トイレ室内壁に配設された便器用リモートコントローラを更に備えており、前記表示手段は、前記便器用リモートコントローラに設けられていることを特徴とする。
【発明の効果】
【００１６】
請求項１及び２に記載の洋風便器装置によれば、ボウル部内の温度、湿度のうち少なくともいずれか一方を検知するボウル部検知手段の計測値が所定の閾値を越えたときには、報知手段を作動するので、ボウル部内の温度、湿度のうち少なくともいずれか一方に基づいて、ボウル部の換気を促すことができる。
【００１７】
請求項２では、所定の閾値を越えた計測値が所定時間以上継続したときに、報知手段を作動するので、一時的に所定の閾値を越えたとしても報知手段が作動せず、誤動作の防止、省電力が図れる。また、温度、湿度条件だけでなく、時間も加味した条件を設定して、ボウル部の換気の必要性を使用者に認識させることができる。
【００１８】
請求項３乃至７に記載の洋風便器装置によれば、ボウル部内の温度、湿度のうち少なくともいずれか一方を検知するボウル部検知手段の計測値が所定の閾値を越えたときには、ボウル部内の換気を行う換気手段を作動するので、ボウル部内の温度、湿度のうち少なくともいずれか一方に基づいて、ボウル部内の換気を行うことができる。
また、ボウル部内の換気を行うことで、ボウル部内での細菌やカビの発生や繁殖条件を阻害し、抑止できる。さらに、それらに起因する悪臭の発生を低減することができる。
【００１９】
請求項４では、所定の閾値を越えた計測値が所定時間以上継続したときに、換気手段を作動するので、一時的に所定の閾値を越えたとしても換気手段を作動せず、誤動作の防止、省電力が図れる。また、温度、湿度条件だけでなく、時間も加味した条件を設定して、ボウル部内の換気を行うことができる。
【００２０】
請求項５では、便蓋を開放させることによりボウル部内の換気を行うので、簡易な構成によりボウル部内の換気を行うことができる。
【００２１】
請求項６では、乾燥装置の作動によりボウル部内の換気を行うので、強制的にボウル部内に滞留した空気をボウル部外に排出することができる。
【００２２】
請求項７では、脱臭装置の作動によりボウル部内の換気を行うので、強制的に外気をボウル部内に導入することができ、換気を行うことができる。
【００２３】
請求項８及び９に記載の洋風便器装置によれば、ボウル部検知手段の計測値を表示する表示手段を備えているので、トイレ室内の温度や湿度とは異なることが多い、ボウル部内の温度、湿度のうち少なくともいずれか一方を確認できる。
【００２４】
請求項９では、表示手段を便器用リモートコントローラに設けているので、ボウル部内の温度、湿度のうち少なくともいずれか一方を容易に確認することができる。
【発明を実施するための最良の形態】
【００２５】
以下に、本発明の実施の形態について、図面を参照しながら説明する。
図１乃至図３は、第１実施形態に係る洋風便器装置を示し、図１は、本実施形態の洋風便器装置を示す部分切欠概略斜視図、図２は、本実施形態に係る洋風便器装置の内部構成を示すブロック図、図３は、本実施形態に係る洋風便器装置で実行される報知機能の基本動作を示すフローチャートである。
【００２６】
図１に示す洋風便器装置１０では、便器本体１９の後部に水洗タンクを備えていない、水道配管直結方式、いわゆるタンクレスタイプのものを図示しているが、水洗タンクを備えたものにも本発明の適用が可能である。
図例の便器本体１９は、ボウル部１５と、ボウル部１５の上端に周設されたリム部１２と、ボウル部１５の外周に形設されたスカート部１６と、便器本体１９の後方に後述するボウル部検知手段２０が配設され、後述する制御手段を構成するＣＰＵ２５やその他、各種装置を内蔵する便蓋・便座設置部１７と、便蓋・便座設置部１７に開閉自在に枢着された便座１４及び便蓋１３と、スカート部１６の後方にボウル部１５への水洗用水を供給する吐出口などを内包するサイドカバー１８を備えている。
尚、詳述は省略するが、洋風便器装置１０は、ボウル部１５に排泄された排泄物を流すための給水システム及び排水システムなどの便器装置として必要な他の構成を備えていることは当然である。
【００２７】
また、サイドカバー１８には、後述する報知手段を構成するスピーカー２１ｂが設けられ、後述する脱臭装置２２ｃの排気口２４ｃと、排気口２４ｃが開口する排水路（不図示）が内包されている。
便蓋・便座設置部１７には、その上面に報知手段を構成する報知用ＬＥＤ２１ａと、後述する便器用リモートコントローラ３０との各種信号の送受信を無線により可能にする便器本体側赤外線センサ１１とが設けられ、さらに、人体の局部を洗浄する局部洗浄手段（不図示）と、人体の局部を乾燥する乾燥装置２２ｂ（図２参照）と、ボウル部１５内を脱臭する脱臭装置２２ｃ（図２参照）とが内蔵されている。
【００２８】
さらに、本実施形態に係る洋風便器装置１０は、トイレ室内壁に配設され、便器本体１９と各種信号を送受信する便器用リモートコントローラ３０を備えている。
便器用リモートコントローラ３０は、便器本体１９との各種信号の送受信を無線により可能にするリモコン側赤外線センサ３１と、後述する表示手段を構成する液晶パネル３３と、局部洗浄手段作動ボタン３２ａ、乾燥装置作動ボタン３２ｂ、脱臭装置作動ボタン３２ｃ、第２実施形態で適用するリセットボタン３２ｄなどの各種操作ボタンとを備えている。
【００２９】
以下、図２も参照しつつ前記した各部について詳述する。
ボウル部検知手段２０は、便蓋・便座設置部１７の前方に配設され、温度センサ２０ａと湿度センサ２０ｂとで構成され、ボウル部１５内の温度、湿度を計測し、計測値を後述するＣＰＵ２５に送信する。
尚、温度センサ２０ａ、湿度センサ２０ｂとしては、ボウル部１５内の温度、湿度の計測が可能で、計測値をＣＰＵ２５に送信できるものであればどのようなものでもよく、また、配設箇所は、ボウル部１５内の温度、湿度の計測の妨げとならない箇所であればどこでもよい。さらに、本実施形態では、温度センサ２０ａ、湿度センサ２０ｂの両方を設けた構成としているが、いずれか一方のみを設ける構成としてもよい。
【００３０】
乾燥装置２２ｂは、乾燥装置作動ボタン３２ｂの押下により作動され、便蓋・便座設置部１７の前方に開口しボウル部１５内に臨む温風吐出口２３ｂからボウル部１５内へ加熱手段（不図示）で加熱された温風を吐出し、人体の局部を乾燥する構成としている。
脱臭装置２２ｃは、脱臭装置作動ボタン３２ｃの押下により作動され、便蓋・便座設置部１７の前方に開口しボウル部１５内に臨む吸気口２３ｃからボウル部１５内の空気を吸い込み、排水路（不図示）内に開口する排気口２４ｃから排気を行う構成としている。
尚、脱臭装置２２ｃ、乾燥装置２２ｂの具体的構成は省略するが、公知のものが適用可能である。
【００３１】
液晶パネル３３は、表示手段を構成し、ボウル部検知手段２０の計測値を表示、すなわち、本実施形態では、温度センサ２０ａにより計測されたボウル部１５内の温度を表示する温度表示部３３ａ（図例では２５度を示している。）と、湿度センサ２０ｂにより計測されたボウル部１５内の湿度を表示する湿度表示部３３ｂ（図例では８０％を示している。）とを有している。
尚、表示手段は、便器本体１９に設ける構成としてもよい。また、液晶（ＬＣＤ）ではなくＣＲＴなどで構成してもよい。
【００３２】
ＣＰＵ２５は、制御手段を構成し、洋風便器装置１０の各種装置を制御するとともに、ボウル部検知手段２０の計測値が所定の閾値を越え、さらに本実施形態では、その所定の閾値を越えた計測値が所定時間以上継続したときに、後述する報知手段２１ａ、２１ｂを作動する構成としている。
ここで、所定の閾値とは、予めあるいは使用者の設定によりＣＰＵ２５が備える記憶手段（不図示）に記憶され、ボウル部１５内の温度が１５度かつ湿度が８０％などとして設定される。
また、所定時間とは、前記した所定の閾値同様、予めあるいは使用者の設定によりＣＰＵ２５が備える記憶手段（不図示）に記憶され、例えば２時間などとして設定されて、ＣＰＵ２５のクロックタイマ（不図示）を後述するように適宜、起動させることにより計測される。
尚、所定の閾値及び所定時間は、前記したものに限られず、細菌やカビの発生や繁殖条件を阻害し抑止可能な閾値としての温度、湿度条件、及びそれらに応じた所定時間を設定すればよい。
【００３３】
報知用ＬＥＤ２１ａ及びスピーカー２１ｂは、ＣＰＵ２５の制御により作動され、ボウル部１５の換気を促す報知手段として機能する。
ここで、換気を促す報知態様としては、スピーカー２１ｂからのアラーム、音声メッセージなど、所定の態様の音響を出力させることにより換気を促す態様としてもよい。これにより、ボウル部１５の換気の必要性を使用者の聴覚に訴えることができる。
また、報知用ＬＥＤ２１ａを所定の態様で点灯あるいは点滅させることによりボウル部１５の換気を促す態様としてもよい。これにより、ボウル部１５の換気の必要性を使用者の視覚に訴えることができる。
さらに、それらの音、光を組み合わせて出力して換気を促す態様としてもよい。
ここで、本実施形態では、報知用ＬＥＤ２１ａとしているが、これに限られず、ハロゲンランプ、蛍光灯など、点灯、点滅により報知できるものであれば、どのようなものでもよい。
また、各報知手段２１ａ、２１ｂの配設箇所も図示したものに限られず、例えば、スカート部１６を透光性の樹脂材で形成し、その内部に報知用ＬＥＤ２１ａを配設したり、スカート部１６の外壁に埋設してもよく、さらに、便器用リモートコントローラ３０に報知用ＬＥＤ２１ａ、スピーカー２１ｂを設けてもよく、使用者にボウル部１５の換気の必要性を促すことが可能な箇所に適宜、配設可能である。
【００３４】
前記したように報知手段２１ａ、２１ｂにより換気を促されると、使用者は、例えば、便蓋１３を開放、すなわち起立状態（図１に示す状態）とし、ボウル部１５内に滞留する空気の換気を行う。あるいは、便蓋１３を閉じた状態で、乾燥装置作動ボタン３２ｂを操作し、乾燥装置２２ｂを起動してボウル部１５内の換気を行う、又は脱臭装置作動ボタン３２ｃを操作し、脱臭装置２２ｃを起動してボウル部１５内の換気を行うなどとしてもよい。
または、ボウル部内換気ボタンなどを別途、便器用リモートコントローラ３０などに設け、その操作がなされることにより換気を行う構成とし、温度や湿度条件に応じて、乾燥装置２２ｂや脱臭装置２２ｃの作動時間を予めあるいは使用者の設定によりＣＰＵ２５の記憶手段に記憶させて、乾燥装置２２ｂや脱臭装置２２ｃを所定時間作動する構成としてもよい。
【００３５】
次に、前記のように構成された洋風便器装置１０におけるＣＰＵ２５の制御による報知機能の基本動作を図３のフローチャートに基づいて説明する。
まず、ボウル部検知手段２０により随時温度、湿度が検知され、検知された計測値は、随時液晶パネル３３に表示され、計測値が前記した所定の閾値を越えると、ＣＰＵ２５に内蔵されているクロックタイマを起動し、前記所定の閾値を越えた計測値が前記した所定時間以上継続すると、クロックタイマをリセットし、報知手段２１ａ、２１ｂを作動し、所定時間経過後、報知手段２１ａ、２１ｂを停止して、ステップ１００に戻る（ステップ１００〜１０７）。
ここで、報知手段２１ａ、２１ｂの所定時間の作動はタイマにより制御される。
【００３６】
ステップ１０２において、計測値が前記所定の閾値を越えるまでは、クロックタイマを起動せずに随時、検知、表示がなされる。
ステップ１０４において、随時検知されている計測値が、前記所定時間以上継続せずに、前記所定の閾値以下となると、クロックタイマをリセットし、ステップ１００に戻る（ステップ１０４、１０８、１０９）。すなわち、前記所定時間内に前記所定の閾値を下回ると、クロックタイマをリセットする構成としている。
【００３７】
前記のように構成された洋風便器装置１０によれば、ボウル部１５内の温度及び湿度に基づいて、ボウル部１５の換気を促すことができる。
また、前記所定時間以上継続したときに、報知手段２１ａ、２１ｂを作動する構成としているので、一時的に前記所定の閾値を越えたとしても報知手段が作動せず、誤動作の防止、省電力が図れる。さらに、温度、湿度条件だけでなく、時間も加味した条件を設定して、ボウル部１５の換気の必要性を使用者に認識させることができる。
さらにまた、トイレ室内の温度や湿度とは異なることが多い、ボウル部１５内の温度や湿度を容易に便器用リモートコントローラ３０の液晶パネル３３で確認することができる。
【００３８】
尚、本実施形態では、計測値が前記所定の閾値を越えた後に、クロックタイマを起動し、前記所定時間以上その状態が継続したときに報知手段２１ａ、２１ｂを作動する構成としているが、ステップ１０２において、計測値が前記所定の閾値を越えると報知手段２１ａ、２１ｂを所定時間経過するまで作動し続ける、あるいは、前記所定の閾値を越える毎に所定時間経過するまで作動する構成としてもよい。
また、本実施形態では、温度及び湿度ともに前記所定の閾値を越えたときに、クロックタイマを起動する構成としているが、いずれか一方の閾値を越えたときにクロックタイマを起動する構成としてもよい。
さらに、例えば、第１の閾値をボウル部１５内の温度が１５度かつ湿度が８０％、第２の閾値をボウル部１５内の温度が２５度かつ湿度が９０％などとして、２種類の閾値を設定し、それぞれの閾値に対応する２種類の所定時間を、第１の閾値の所定時間として２時間、第２の閾値の所定時間として１時間などとして設定し、少なくともいずれか一方の条件に達したときに報知手段２１ａ、２１ｂを作動する構成としてもよい。これにより、温度差の激しい地域などにも柔軟に対応できるものとなり、また、ボウル部１５の換気が緊急に必要、すなわち、高温度、高湿度の場合には、早い段階で報知し、ボウル部１５の換気を促すことができる。
【００３９】
また、季節などに応じて、報知手段２１ａ、２１ｂを作動するモード、例えば、冬期モード、梅雨期モード、夏期モードなどを予め設定し、それぞれのモードに応じた所定の閾値や所定時間を予めＣＰＵ２５の記憶手段に記憶させる構成とし、ボウル部検知手段２０の計測値に基づいて自動的にＣＰＵ２５において季節を判別することにより、あるいは使用者の操作によりモード設定する構成としてもよい。
この場合、特に細菌やカビが発生し易い梅雨期モードや夏期モードでは、所定時間を短く設定し、報知手段２１ａ、２１ｂを作動して換気を促すことが好ましく、例えば、冬期モードでは、閾値として温度が１０度かつ湿度が６０％、所定時間として５時間、梅雨期モードでは、閾値として温度が１５度かつ湿度が８０％、所定時間として２時間、夏期モードでは、閾値として温度が２５度かつ湿度が６０％、所定時間として２時間、通常期モードでは、閾値として温度が２０度かつ湿度が７０％、所定時間として２時間などとして設定してもよく、あるいは前記したようにそれぞれのモードに対して２種類の異なる閾値や所定時間を設定する構成としてもよい。
これにより、季節に応じて設定された条件で換気を促すことが可能となる。
【００４０】
次に、本発明に係る他の実施の形態について、図面を参照しながら説明する。
図４及び図５は、第２実施形態に係る洋風便器装置を示し、図４は、本実施形態に係る洋風便器装置の内部構成を示すブロック図、図５は、本実施形態に係る洋風便器装置で実行される報知機能の基本動作を示すフローチャートである。
第１実施形態との相違点は、リセットボタン及び換気動作検知手段を備えた点であり、
他の構成は、第１実施形態と同様であるため、同一符号を付し、説明を省略する。
【００４１】
本実施形態に係る洋風便器装置１０Ａは、図４に示すように、便器用リモートコントローラ３０に配設され、報知手段２１ａ、２１ｂを停止するリセットボタン３２ｄ（図１も参照）と、ボウル部１５の換気が行われたことを検知する換気動作検知手段を構成する便蓋開閉センサ２２ｄとを備えている。
便蓋開閉センサ２２ｄは、例えば、便蓋１３の回転軸に設けられた、回転角を検知するセンサなどから構成され、便蓋１３の開閉を検知し、ＣＰＵ２５に検知信号を送信する。
尚、換気動作検知手段としては、乾燥装置作動ボタン３２ｂや脱臭装置作動ボタン３２ｃの操作による各装置の起動をＣＰＵ２５により検知し、ボウル部１５の換気が行われたことを検知する構成としてもよい。
【００４２】
次に、前記のように構成された洋風便器装置１０ＡにおけるＣＰＵ２５の制御による報知機能の基本動作を図５のフローチャートに基づいて説明する。
まず、第１実施形態と同様、ボウル部検知手段２０により随時温度、湿度が検知され、検知された計測値は、随時液晶パネル３３に表示され、計測値が前記した所定の閾値を越えると、ＣＰＵ２５に内蔵されているクロックタイマを起動し、前記所定の閾値を越えた計測値が前記した所定時間以上継続すると、クロックタイマをリセットし、報知手段２１ａ、２１ｂを作動する（ステップ２００〜２０７）。
ステップ２０５において、随時検知されている計測値が、前記所定時間以上継続せずに、前記所定の閾値以下となると、クロックタイマをリセットし、ステップ２００に戻る（ステップ２０５、２１１、２１２）。
【００４３】
ここで、本実施形態では、第１実施形態と異なり、報知手段２１ａ、２１ｂの作動停止を所定時間経過後ではなく、使用者によるリセットボタン３２ｄの押下、あるいは、換気動作検知手段、例えば便蓋開閉センサ２２ｄなどによる換気動作の検知により、報知手段２１ａ、２１ｂの作動を停止する（ステップ２０８、２０９）。すなわちリセットボタン３２ｄの押下、あるいは、換気動作検知がなされない限りは、報知手段２１ａ、２１ｂによる報知を継続させる。
これにより、使用者にボウル部１５の換気の必要性を確実に認識させることができる。
また、ステップ２０３において、クロックタイマの起動後、前記所定時間以上継続するまでに換気動作を検知すると、クロックタイマをリセットし、ステップ２００に戻る（ステップ２０４、２１０）。
これにより、換気動作、すなわち便器の使用が頻繁になされている場合は、報知手段２１ａ、２１ｂの作動がなされず、省電力が図れる。
尚、本実施形態では、リセットボタン３２ｄと換気動作検知手段２２ｄの両方を備えた構成としているが、いずれか一方のみを設ける構成としてもよい。
【００４４】
次に、本発明に係る更に他の実施の形態について、図面を参照しながら説明する。
図６乃至図９は、第３実施形態に係る洋風便器装置を示し、図６は、本実施形態の洋風便器装置を示す概略斜視図、図７は、本実施形態に係る洋風便器装置の内部構成を示すブロック図、図８及び図９は、本実施形態に係る洋風便器装置で実行される換気機能の基本動作を示すフローチャートである。
第１実施形態と同様の構成については、同一符号を付し説明を省略し、以下、相違点を中心に説明する。
【００４５】
本実施形態に係る洋風便器装置１０Ｂは、第１実施形態及び第２実施形態で適用した報知手段２１ａ、２１ｂを備えず、後述するボウル部１５内の換気を行う換気手段２２と、便蓋・便座設置部１７に配設された、人体の在、不在を検知する人体検知センサ２６と、使用者の着座、離座を検知する着座センサ２７とを更に備えており、人体検知センサ２６が人体の在を検知すると、便蓋・便座設置部１７に内蔵されている便蓋・便座自動開閉機構２２ａ（図７参照）を作動し、便蓋１３を開放、すなわち起立状態（図６に示す状態）とし、その後、所定時間、着座センサ２７からの着座検知の信号がないと、便座１４も起立状態とする。所定時間経過後、あるいは、人体検知センサ２６が人体の不在を検知すると、再度、便蓋・便座自動開閉機構２２ａを作動して便蓋１３、便座１４を閉駆動し、更に、自動水洗システム（不図示）を作動して汚物を排出する構成としている。
尚、便蓋・便座自動開閉機構２２ａの具体的構成は省略するが公知のものが適用可能である。
【００４６】
また、本実施形態では、着座センサ２７が使用者の着座を検知すると、脱臭装置２２ｃ（図７参照）を作動して、前記したように吸気口２３ｃからボウル部１５内の空気を吸い込み、排気口２４ｃから排気を行い、離座を検知すると、脱臭装置２２ｃを停止する構成としている。
尚、第１実施形態同様に脱臭装置作動ボタン３２ｃの押下により脱臭装置２２ｃを作動させる構成としてもよい。
【００４７】
次に、前記構成の洋風便器装置１０Ｂにおける制御手段、換気手段について図７に基づいて詳細に説明する。
本実施形態では、ボウル部１５内の換気を行う換気手段２２として以下の３種の態様を適用している。
【００４８】
第１の態様として、換気手段２２は、便蓋・便座自動開閉機構２２ａで構成され、便蓋・便座自動開閉機構２２ａが便蓋１３を開駆動し、便蓋１３を例えば数分程度の所定時間、開放させることによりボウル部１５内の換気を行う。
すなわち、ボウル部１５内に滞留している空気は、便蓋１３が開放されることによりボウル部１５外へ拡散され、あるいはボウル部１５内に外気が導入され換気が行われる。
この態様によれば、簡易な構成によりボウル部１５内の換気を行うことができる。
ここで、便蓋１３の開駆動とともに便座１４の開駆動をしてもよく、また、開閉駆動を数回、繰り返し行う態様としてもよい。また、本実施形態では、便座１４も自動開閉される構成としているが、少なくとも便蓋１３を自動開閉する機構を備えておればよい。
【００４９】
第２の態様として、換気手段２２は、人体の局部を乾燥する乾燥装置２２ｂで構成され、乾燥装置２２ｂを例えば数分程度の所定時間作動して、温風吐出口２３ｂから温風を吐出することにより、ボウル部１５内の換気を行う。
すなわち、温風吐出口２３ｂから吐出された温風（送風）は、便蓋１３が閉じられた状態で、ボウル部１５内に滞留している空気を循環させながら、ボウル部１５内を通気し、便蓋１３や便座１４とリム部１２やスカート部１６との空隙からボウル部１５外へ排出され、換気が行われる。
この態様によれば、強制的にボウル部１５内に滞留した空気をボウル部１５外に排出し、換気を行うことができる。
ここで、換気手段２２として乾燥装置２２ｂを作動する場合は、前記した加熱手段を作動させず、送風を温風吐出口２３ｂから吐出する態様とすることが好ましい。これによれば、省電力が図れ、また細菌の繁殖をより効果的に抑止できる。
【００５０】
第３の態様として、換気手段２２は、ボウル部１５内を脱臭する脱臭装置２２ｃで構成され、脱臭装置２２ｃを例えば数分程度の所定時間作動して、吸気口２３ｃからボウル部１５内の空気を吸い込み、排気口２４ｃから排気を行うことにより、ボウル部１５内の換気を行う。
すなわち、便蓋１３が閉じられた状態で、ボウル部１５内に滞留している空気は、脱臭装置２２ｃの作動により、便蓋１３や便座１４とリム部１２やスカート部１６との空隙からボウル部１５外の空気がボウル部１５内に導入され、ボウル部１５内に滞留している空気を循環させながら、吸気口２３ｃに吸い込まれ、排気口２４ｃから排気され、排水路を介して便器外へ排出される。
ここで、換気手段２２として脱臭装置２２ｃを作動する態様の場合は、少なくとも吸気口２３ｃからボウル部１５内の空気を吸い込み、排気口２４ｃから排気が可能な構成の脱臭装置２２ｃであればよい。
この態様によれば、強制的に外気をボウル部１５内に導入することができ、換気を行うことができる。
また、排水路内に開口する排気口２４ｃから排気し、排水路を介してボウル部１５内の空気が便器外へ排出されるので、ボウル部１５内に滞留した空気がトイレ室内に拡散することを防止できる。
【００５１】
尚、図７では、換気手段２２として、前記した３種の態様に必要な３種の換気手段を図示しているが、少なくともいずれか１種の換気手段を備える構成とすればよく、また、前記した３種の態様を組み合わせて各換気手段を作動する態様としてもよい。
例えば、便蓋１３を開駆動するとともに乾燥装置２２ｂを作動する、あるいは、便蓋１３を開駆動するとともに脱臭装置２２ｃを作動する態様としてもよい。
【００５２】
ＣＰＵ２５は、第１実施形態同様に制御手段を構成し、ボウル部検知手段２０の計測値が前記所定の閾値を越え、さらに本実施形態では、その所定の閾値を越えた状態が前記所定時間以上継続したときに前記した各換気手段２２を作動する構成としている。
ここで、前記所定の閾値、前記所定時間は、第１実施形態にて説明したものと同様の所定の閾値、所定時間が適用される。
【００５３】
次に、前記のように構成された洋風便器装置１０ＢにおけるＣＰＵ２５の制御による換気機能の基本動作を図８のフローチャートに基づいて説明する。
まず、ボウル部検知手段２０により随時温度、湿度が検知され、検知された計測値は、随時液晶パネル３３に表示され、計測値が前記した所定の閾値を越えると、ＣＰＵ２５に内蔵されているクロックタイマを起動し、前記所定の閾値を越えた計測値が前記した所定時間以上継続すると、クロックタイマをリセットし、換気手段２２を所定時間作動し、あるいは前記した便蓋１３の開放により換気を行う場合は、所定時間開放又は所定回数開閉駆動を行い、換気手段２２を停止し、あるいは前記した便蓋１３の開放により換気を行う場合は、便蓋１３を閉駆動し、ステップ３００に戻る（ステップ３００〜３０７）。
ここで、換気手段２２の所定時間の作動、開放はタイマにより制御される。
【００５４】
ステップ３０２において、計測値が前記所定の閾値を越えるまでは、クロックタイマを起動せずに随時、検知、表示がなされる。
ステップ３０４において、随時検知されている計測値が、前記所定時間以上継続せずに、前記所定の閾値以下となると、クロックタイマをリセットし、ステップ３００に戻る（ステップ３０４、３０８、３０９）。すなわち、前記所定時間内に前記所定の閾値を下回ると、クロックタイマをリセットする構成としている。
【００５５】
前記のように構成された洋風便器装置１０Ｂによれば、ボウル部１５内の温度、湿度に基づいて、換気手段２２を作動し、ボウル部１５内の換気を行うことができる。また、ボウル部１５内の換気を行うことで、ボウル部１５内での細菌やカビの発生や繁殖条件を阻害し、抑止できる。さらに、それらに起因する悪臭の発生を低減することができる。さらにまた、前記所定の閾値を越えた計測値が前記所定時間以上継続したときに、換気手段２２を作動する構成としているので、一時的に前記所定の閾値を越えたとしても換気手段２２が作動せず、誤動作の防止、省電力が図れる。また、温度、湿度条件だけでなく、時間も加味した条件を設定して、ボウル部１５内の換気を行うことができる。
尚、前記第１実施形態で記載したように、季節に応じてモード設定する構成を採用可能なことは当然であるが、例えば、この場合に、特に細菌やカビが発生し易い梅雨期モードや夏期モードでは、換気手段２２の作動時間を他のモード時よりも長くする、あるいは便蓋１３の開放により換気を行う場合は開放時間を長く又は開閉駆動回数を多くすることが好ましい。
【００５６】
次に、前記のように構成された洋風便器装置１０ＢにおけるＣＰＵ２５の制御による換気機能の基本動作の他例を図９のフローチャートに基づいて説明する。
まず、前記した基本動作と同様、ボウル部検知手段２０により随時温度、湿度が検知され、検知された計測値は、随時液晶パネル３３に表示され、計測値が前記した所定の閾値を越えると、ＣＰＵ２５に内蔵されているクロックタイマを起動し、前記所定の閾値を越えた計測値が前記した所定時間以上継続すると、クロックタイマをリセットし、換気手段２２を所定時間作動し、あるいは前記した便蓋１３の開放により換気を行う場合は、所定時間開放又は所定回数開閉駆動を行い、換気手段２２を停止し、あるいは前記した便蓋１３の開放により換気を行う場合は、便蓋１３を閉駆動し、ステップ４００に戻る（ステップ４００〜４０７）。
ここで、換気手段２２の所定時間の作動、開放はタイマにより制御され、ステップ４０８におけるタイムアップに対応するタイマの起動は換気手段２２の作動時、開駆動時になされる。
ステップ４０５において、随時検知されている計測値が、前記所定時間以上継続せずに、前記所定の閾値以下となると、クロックタイマをリセットし、ステップ４００に戻る（ステップ４０５、４１１、４１２）。
【００５７】
ここで、本例では、図８に基づいて説明した前記の基本動作と異なり、換気手段２２の作動後、所定時間経過するまでに便器の使用を検知すると、直ちに換気手段２２を停止する構成としている（ステップ４０８、４０９、４１３）。
すなわち、便器の使用を前記した人体検知センサ２６により検知すると、便蓋・便座自動開閉機構２２ａにより便蓋１３の開駆動がなされ、便蓋１３が開放されボウル部１５内の換気を行うことができ、また、座位にて使用時には脱臭装置２２ｃが作動されるので、換気手段２２を停止する構成としている。
これにより、便器の使用により換気がなされる場合は、換気手段２２を停止するので、省電力が図れる。
ここで、便蓋・便座自動開閉機構２２ａを換気手段２２として適用し、開閉駆動を数回、繰り返し行う態様の場合には、ステップ４０８において、所定回数開閉駆動がなされたか否かの判断がなされる。
これにより、便蓋・便座自動開閉機構２２ａを換気手段２２として適用し、開閉駆動を数回、繰り返し行う態様としても、便器の使用を検知すると、換気手段２２としての便蓋１３の開閉駆動は停止され、便蓋１３が起立状態とされるので、換気動作の終了を待つことなく、便器の使用が可能となる。
【００５８】
また、ステップ４０３において、クロックタイマの起動後、前記所定時間以上継続するまでに便器の使用を検知すると、クロックタイマをリセットし、ステップ４００に戻る（ステップ４０４、４１０）。
すなわち、前記同様、便蓋・便座自動開閉機構２２ａによる便蓋１３の開放動作によりボウル部１５内の換気を行うことができ、また、座位にて使用時には脱臭装置２２ｃが作動されるので、換気手段２２を作動することなく、クロックタイマをリセットする構成としている。
これにより、便器の使用により換気がなされる場合は、クロックタイマがリセットされ換気手段２２が作動されないので、省電力が図れる。
【００５９】
尚、換気手段２２として乾燥装置２２ｂあるいは脱臭装置２２ｃのみを適用した場合はは、ステップ４０４及びステップ４１３において、便器の使用を検知してもクロックタイマをリセットせず、換気手段２２の作動を停止しない構成としてもよい。
また、本実施形態では、計測値が前記所定の閾値を越えた後に、クロックタイマを起動し、前記所定時間以上その状態が継続したときに換気手段２２を作動する構成としているが、ステップ３０２又は４０２において、計測値が前記所定の閾値を越える毎に換気手段２２を所定時間経過するまで作動する、あるいは、前記した便蓋１３の開放により換気を行う場合は、計測値が前記所定の閾値を下回るまでは、便蓋１３を起立状態とする構成としてもよい。
【図面の簡単な説明】
【００６０】
【図１】本発明に係る洋風便器装置の実施形態の一例を示す部分切欠概略斜視図である。
【図２】本発明に係る洋風便器装置の同実施形態における内部構成を示すブロック図である。
【図３】本発明に係る洋風便器装置の同実施形態で実行される報知機能の基本動作を示すフローチャートである。
【図４】本発明に係る洋風便器装置の実施形態の他例における内部構成を示すブロック図である。
【図５】本発明に係る洋風便器装置の同実施形態で実行される報知機能の基本動作を示すフローチャートである。
【図６】本発明に係る洋風便器装置の実施形態の更に他例を示す概略斜視図である。
【図７】本発明に係る洋風便器装置の同実施形態における内部構成を示すブロック図である。
【図８】本発明に係る洋風便器装置の同実施形態で実行される換気機能の基本動作を示すフローチャートである。
【図９】本発明に係る洋風便器装置の同実施形態で実行される換気機能の基本動作の他例を示すフローチャートである。
【図１０】従来例を示す図である。
【符号の説明】
【００６１】
１０、１０Ａ、１０Ｂ      洋風便器装置
１３      便蓋
１５      ボウル部
２０      ボウル部検知手段
２０ａ      温度センサ（ボウル部検知手段）
２０ｂ      湿度センサ（ボウル部検知手段）
２１ａ      報知用ＬＥＤ（報知手段）
２１ｂ      スピーカー（報知手段）
２２      換気手段
２２ａ      便蓋・便座自動開閉機構（換気手段）
２２ｂ      乾燥装置（換気手段）
２２ｃ      脱臭装置（換気手段）
２３ｃ      吸気口
２４ｃ      排気口
２５      ＣＰＵ（制御手段）
３０      便器用リモートコントローラ
３３      液晶パネル（表示手段）
【図１】
2008081929.tif 000003
【図２】
2008081929.tif 000004
【図３】
2008081929.tif 000005
【図４】
2008081929.tif 000006
【図５】
2008081929.tif 000007
【図６】
2008081929.tif 000008
【図７】
2008081929.tif 000009
【図８】
2008081929.tif 000010
【図９】
2008081929.tif 000011
【図１０】
2008081929.tif 000012